(57)【要約】【課題】複数の端末を用いた拡張画面表示の柔軟な操作性および利便性を向上する表示システム、表示方法、端末装置、およびコンピュータプログラムを提供する。【解決手段】表示システム１は、第１画像を表示している端末１００に対する端末２００の接近または接触を検出する接近検出部１０６と、端末１００の画像表示部１０２に表示している第１画像に連結する、接近または接触を検出した端末２００の画像表示部２０２の位置に相当する第２画像を、端末２００の画像表示部２０２に表示指示する表示指示部１１０と、を備える。【選択図】図１
2012173542.tif 000002
【特許請求の範囲】
【請求項１】
第１画像を表示している第１表示装置に対する第２表示装置の接近または接触を検出する接近検出手段と、
前記第１表示装置に表示している前記第１画像に連結する、前記接近または接触を検出した前記第２表示装置の位置に相当する第２画像を、前記第２表示装置に表示指示する表示指示手段と、を備える表示システム。
【請求項２】
請求項１に記載の表示システムにおいて、
前記第１表示装置に対する前記第２表示装置の相対位置を検出する位置検出手段を備え、
前記表示指示手段は、検出された前記第１表示装置に対する前記第２表示装置の相対位置に基づいて、前記第１表示装置に表示している前記第１画像に連結する、前記接近または接触を検出した前記第２表示装置の位置に相当する前記第２画像を決定し、前記第２表示装置に表示指示する表示システム。
【請求項３】
請求項１または２に記載の表示システムにおいて、
前記第１表示装置および前記第２表示装置の相対的な向きを検出する向き検出手段を備え、
前記表示指示手段は、前記第１表示装置と前記第２表示装置の表示画面の相対的な向きに基づいて、前記第１表示装置に表示している前記第１画像に連結する、前記接近または接触を検出した前記第２表示装置の位置に相当する前記第２画像の表示方向を決定し、前記第２表示装置に表示指示する表示システム。
【請求項４】
請求項１乃至３いずれかに記載の表示システムにおいて、
前記第２表示装置に表示指示する前記第２画像を生成する画像生成手段を備え、
前記表示指示手段は、生成した前記第２画像を前記表示装置に送信することで、前記第２表示装置に前記第２画像の表示指示を行う表示システム。
【請求項５】
請求項１乃至４いずれかに記載の表示システムにおいて、
前記第２画像を前記第２表示装置に表示させるための画像情報を生成する情報生成手段を備え、
前記表示指示手段は、前記第２画像の前記画像情報を前記第２表示装置に通知することで、前記第２表示装置に前記第２画像の表示指示を行う表示システム。
【請求項６】
複数の表示装置に画像を表示する表示方法であって、
第１画像を表示する表示装置が、
自装置に対する他の表示装置の接近または接触を検出し、
自装置に表示している前記第１画像に連結する、前記接近または接触を検出した前記他の表示装置の位置に相当する第２画像を、前記他の表示装置に表示指示する表示方法。
【請求項７】
表示部と、
前記表示部に第１画像を表示する表示制御手段と、
自装置に対する他の端末装置の接近または接触を検出する接近検出手段と、
前記表示部に表示している前記第１画像に連結する、前記接近または接触を検出した前記他の端末装置の位置に相当する第２画像を、前記他の端末装置の表示部に表示指示する表示指示手段と、を備える端末装置。
【請求項８】
表示部と、
自装置に接近または接触している他の端末装置から、当該他の端末装置の表示部に表示されている第１画像に連結する、自装置の位置に相当する第２画像を自装置の前記表示部に表示する指示を受け付ける受付手段と、
受け付けた前記指示に従い、前記第２画像を自装置の前記表示部に表示する表示制御手段と、を備える端末装置。
【請求項９】
画像を表示する表示装置と、
前記表示装置に対する他の表示装置の接近または接触を検出する接近検出部と、を備えるコンピュータに、
前記接近検出部が、第１画像を表示している表示装置に対する他の表示装置の接近または接触を検出する手順、
前記表示装置に表示している前記第１画像に連結する、前記接近または接触を検出した前記他の表示装置の位置に相当する第２画像を、前記他の表示装置に表示指示する手順を実行させるためのコンピュータプログラム。
【請求項１０】
表示装置を備えるコンピュータに、
他の表示装置から、当該他の表示装置に表示されている第１画像に連結する、自装置の位置に相当する第２画像を自装置の前記表示装置に表示する指示を受け付ける手順、
受け付けた前記指示に従い、前記第２画像を自装置の前記表示装置に表示する手順を実行させるためのコンピュータプログラム。
【発明の詳細な説明】
【技術分野】
【０００１】
本発明は、表示システム、表示方法、端末装置、およびコンピュータプログラムに関し、特に、複数の表示装置に表示を行う表示システム、表示方法、端末装置、およびコンピュータプログラムに関する。
【背景技術】
【０００２】
近年、携帯電話機やスマートフォンなどのように表示部を備えた端末装置にあっては、その高機能化に伴って画面サイズの拡大化が進み、筐体の表面略全域に相当する大きさの表示部を有している。
【０００３】
ところで、このような端末装置を任意の状態で複数台を並列配置することにより、全体としてマルチ画面（大画面）化して使用する場合がある。
このような表示機能を有する携帯端末装置の一例が特許文献１に記載されている。特許文献１に記載された携帯端末装置は、各端末側面に設けられたマグネットを用いて他の端末との接触を検知して、複数の端末の表示部を用いて一連の表示部を形成するものである。
【０００４】
また、たとえば、２台の携帯電話機を横方向に並べて２つの表示部が左右に隣接する横並び状態とすることで、２ページ分のデータを左右に表示して見開き本のように使用することがある。
また、２台の携帯電話機を縦方向に並べて２つの表示部が上下に隣接する縦並び状態とすると共に、下側の表示部にソフトキーボード（タッチ式キーボード）を表示させて入力画面とし、上側の表示部にキーボードからの入力情報を表示するテキスト画面とすることで、ノートＰＣ（Personal Computer）のように使用する場合がある。
【０００５】
さらに４台の携帯電話機を２行×２列に並べて４つの表示部が左右上下に隣接するマトリックス並びの状態として地図データを４分割表示させることで、折り畳んだ広域地図を展開させた展開地図のように使用する場合がある。
【０００６】
また、ＰＣで複数のディスプレイ装置を接続したときに、画面を拡大した表示（たとえば、基本の表示画面の右側に接続する画像を追加のディスプレイ装置に表示するようなマルチスクリーン表示）なども使用することがある。
【０００７】
また、特許文献２に記載された画像表示システムは、複数台の端末装置を並列配置してそれぞれ情報伝送媒体を介して互いに接続し、各表示装置の配置を識別番号表示と、その識別番号表示を撮影した画像情報に基づいて各表示装置の配置を特定することで、予め決められた配置で表示装置を設置しなくても、マルチディスプレイを構成できる。
【０００８】
また、特許文献２には、予め定めた各表示装置の配置位置から各表示装置がずれた場合には、ずれに応じて画像の表示のずれを補正する指令を微調整情報として各表示装置に与えることが記載されている。
【先行技術文献】
【特許文献】
【０００９】
【特許文献１】特開２０１０−８５８５３号公報
【特許文献２】特開２００９−１０９６７１号公報
【発明の概要】
【発明が解決しようとする課題】
【００１０】
上述した特許文献２に記載された技術にあっては、複数台の表示装置を並列配置する際に、予め決められた位置関係となるように各表示装置を配置したり、それらの配置状態を示す位置関係を、ユーザが操作を行うことで入力したりする必要がなくなる。しかしながら、上述した技術では、複数台の表示装置を、それぞれ情報伝送媒体を介して互いに接続し、外部制御装置を用いて各端末を管理して制御する必要があった。そのため、複数の端末を個別に利用しながら、状況に応じて複数台を合わせて用いるなどフレキシブルな使い方はできないという問題点があった。
【００１１】
また、特許文献１に記載された技術においても、複数の端末装置を隣接させる際に、配置がずれた場合には、そのとき表示していた画像を維持することはできるが、隣接していた位置から端末を離して移動した場所に相当する画像を表示することはできないという問題点があった。
【００１２】
さらに、特許文献１または２に記載された技術にあっては、たとえば、ＰＣのマルチスクリーニングの場合と同様に、２台のディスプレイ装置の互いの左右の配置を予め設定して、左右に拡大された画面を単に分割して各装置に表示している。そのため、ディスプレイ装置の相対的な位置を変えても個々の表示部の画像は変わらず固定である。
【００１３】
上述したように、予め定められた配置からのずれを補正することは可能ではあるので、たとえば、ディスプレイ装置の配置に高低差がある場合、２つの画面にまたがる画像の段差を補正することはできる。しかしながら、たとえば、現在表示されている画像の、もう少し外側の画像を確認したいような場合に、ディスプレイ装置の距離を離したとしても、表示画像領域が広がる訳ではない。そのため、表示されている画像の状況に応じて、ユーザがさらに広域の画像を見たい場合には、画面をスクロールするなどの操作が必要となり使い勝手が悪かった。
【００１４】
本発明の目的は、上述した課題である複数の端末を用いた拡張画面表示の柔軟な操作性および利便性を向上する表示システム、表示方法、端末装置、およびコンピュータプログラムを提供することにある。
【課題を解決するための手段】
【００１５】
本発明の表示システムは、
第１画像を表示している第１表示装置に対する第２表示装置の接近または接触を検出する接近検出手段と、
前記第１表示装置に表示している前記第１画像に連結する、前記接近または接触を検出した前記第２表示装置の位置に相当する第２画像を、前記第２表示装置に表示指示する表示指示手段と、を備える。
【００１６】
本発明の表示方法は、
複数の表示装置に画像を表示する表示方法であって、
第１画像を表示する表示装置が、
自装置に対する他の表示装置の接近または接触を検出し、
自装置に表示している前記第１画像に連結する、前記接近または接触を検出した前記他の表示装置の位置に相当する第２画像を、前記他の表示装置に表示指示する表示方法である。
【００１７】
本発明の第１の端末装置は、
表示部と、
前記表示部に第１画像を表示する表示制御手段と、
自装置に対する他の端末装置の接近または接触を検出する接近検出手段と、
前記表示部に表示している前記第１画像に連結する、前記接近または接触を検出した前記他の端末装置の位置に相当する第２画像を、前記他の端末装置の表示部に表示指示する表示指示手段と、を備える。
【００１８】
本発明の第２の端末装置は、
表示部と、
自装置に接近または接触している他の端末装置から、当該他の端末装置の表示部に表示されている第１画像に連結する、自装置の位置に相当する第２画像を自装置の前記表示部に表示する指示を受け付ける受付手段と、
受け付けた前記指示に従い、前記第２画像を自装置の前記表示部に表示する表示制御手段と、を備える。
【００１９】
本発明の第１のコンピュータプログラムは、
画像を表示する表示装置と、
前記表示装置に対する他の表示装置の接近または接触を検出する接近検出部と、を備えるコンピュータに、
前記接近検出部が、第１画像を表示している表示装置に対する他の表示装置の接近または接触を検出する手順、
前記表示装置に表示している前記第１画像に連結する、前記接近または接触を検出した前記他の表示装置の位置に相当する第２画像を、前記他の表示装置に表示指示する手順を実行させるためのコンピュータプログラムである。
【００２０】
本発明の第２のコンピュータプログラムは、
表示装置を備えるコンピュータに、
他の表示装置から、当該他の表示装置に表示されている第１画像に連結する、自装置の位置に相当する第２画像を自装置の前記表示装置に表示する指示を受け付ける手順、
受け付けた前記指示に従い、前記第２画像を自装置の前記表示装置に表示する手順を実行させるためのコンピュータプログラムである。
【００２１】
なお、以上の構成要素の任意の組合せ、本発明の表現を方法、装置、システム、記録媒体、コンピュータプログラムなどの間で変換したものもまた、本発明の態様として有効である。
【００２２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２３】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障しない範囲で変更することができる。
【００２４】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００２５】
本発明によれば、複数の端末を用いた拡張画面表示の柔軟な操作性および利便性を向上する表示システム、表示方法、端末装置、およびコンピュータプログラムが提供される。
【図面の簡単な説明】
【００２６】
【図１】本発明の実施の形態に係る表示システムの構成を示す機能ブロック図である。
【図２】本発明の実施の形態に係る各端末の構成を示すブロック図である。
【図３】本発明の実施の形態に係る表示システムの端末の連携画面表示処理を説明するための図である。
【図４】本発明の実施の形態に係る表示システムの概略動作の一例を示すフローチャートである。
【図５】本発明の実施の形態に係る表示システムの構成を示す機能ブロック図である。
【図６】本発明の実施の形態に係る表示システムの動作の詳細な例を示すフローチャートである。
【図７】図６のフローチャートの続き示すフローチャートである。
【図８】本発明の実施の形態に係る表示システムの端末の画面表示の組み合わせを説明するための図である。
【図９】本発明の実施の形態に係る表示システムの端末の画面表示例を説明するための図である。
【図１０】本発明の実施の形態に係る表示システムの端末の画面表示例を説明するための図である。
【図１１】本発明の実施の形態に係る表示システムの端末の画面表示の組み合わせを説明するための図である。
【発明を実施するための形態】
【００２７】
以下、本発明の実施の形態について、図面を用いて説明する。尚、すべての図面において、同様な構成要素には同様の符号を付し、適宜説明を省略する。
【００２８】
（第１の実施の形態）
図１は、本発明の実施の形態に係る表示システム１の構成を示す機能ブロック図である。
本実施形態の表示システム１は、第１画像を表示している第１表示装置（端末１００の画像表示部１０２）に対する第２表示装置（端末２００の画像表示部２０２）の接近または接触を検出する接近検出部１０６と、端末１００の画像表示部１０２に表示している第１画像に連結する、接近または接触を検出した端末２００の画像表示部２０２の位置に相当する第２画像を、端末２００の画像表示部２０２に表示指示する表示指示部１１０と、を備える。
【００２９】
本実施形態において、第１表示装置および第２表示装置は、各種の携帯端末の表示装置とすることができ、たとえば、携帯電話機、ＰＨＳ（Personal Handyphone System）、スマートフォン、タブレット型情報端末、ＰＤＡ（Personal  Digital  Assistants）、ノートＰＣ（Personal Computer）、携帯型ＤＶＤプレーヤ、携帯型ゲーム機、携帯型テレビ受像機などの表示装置を含む。本発明の第１表示装置および第２表示装置は、それぞれ、図１の第１の端末１００（以後、「端末Ａ」とも呼ぶ）および第２の端末２００（以後、「端末Ｂ」とも呼ぶ）の画像表示部１０２および画像表示部２０２に対応する。
【００３０】
図２は、本発明の実施の形態に係る端末１００および端末２００の構成を示すブロック図である。
端末１００および端末２００は、同様な構成を有する携帯端末であるが、必ずしも同じ種類のものでなくてもよい。また、本実施形態では、２台の端末を用いて説明しているが、これに限定されない。２台以上の複数の端末を用いてもよい。
【００３１】
図２に示すように、端末１００および端末２００は、ＣＰＵ２と、ＲＯＭ４と、ＲＡＭ６と、ネットワーク通信制御部８と、第１アンテナ１０と、操作部１２と、操作受付部１４と、表示部１６と、表示制御部１８と、加速度センサ２０と、端末間通信制御部２２と、第２アンテナ２４と、をそれぞれ備える。
【００３２】
ＣＰＵ２は、端末１００または端末２００の各要素とバス３０を介して接続され、各要素とともに端末１００または端末２００全体を制御する。ＲＯＭ４は、本発明の制御プログラムが格納される。端末１００を動作させるための基本プログラムや各種アプリケーションプログラム、それらのプログラムが動作する際に使用する各種設定データなどを記憶する。ＲＡＭ６は、プログラムが動作するための作業領域を有する。
【００３３】
ネットワーク通信制御部８は、第１アンテナ１０を介して、図示されない基地局を介した移動体通信網、ＬＡＮ（Local Area Network）、またはインターネット、あるいは、これらを組み合わせたネットワークに接続して通信を行う。
【００３４】
たとえば、端末１００および端末２００は、移動体通信網やインターネットの様々なサイトにネットワーク通信制御部８を使用してアクセスする機能を備える。ユーザは、ネットワーク通信制御部８を用いて接続した様々なサイトの情報を後述する表示部１６に表示させたり、アプリケーションプログラムやコンテンツをダウンロードして利用したりできる。
【００３５】
操作部１２は、ユーザが操作するキー、ボタン、スイッチ、ジョグダイヤル、タッチパッド、タッチパネルなどを含む。操作受付部１４は、操作部１２のユーザ操作を受け付け、ＣＰＵ２にバス３０を介して通知する。
【００３６】
表示部１６は、ＬＥＤ（Light  Emitting  Diode）表示器や、液晶ディスプレイ、有機ＥＬ（ElectroLuminescence）ディスプレイなどを含む。表示制御部１８は、ＣＰＵ２からの指示に従い、表示部１６に各種表示制御を行う。
加速度センサ２０は、自装置に掛かる重力、振動や動き、および衝撃を検出するものである。加速度センサ２０からの出力信号を用いることで、他の端末の接触を検知するだけでなく、自装置の向き、傾き、移動なども検知することができる。
【００３７】
端末間通信制御部２２は、たとえば、赤外線通信、非接触ＩＣ通信、またはブルートゥースなどの微弱電波通信機能、無線ＬＡＮ通信機能などを用いて、第２アンテナ２４を介して、自端末に接近または接触している他の端末と通信を行う。
【００３８】
端末１００または端末２００の各構成要素は、ＣＰＵ２、メモリ（ＲＡＭ６）、メモリにロードされた本図の構成要素を実現するプログラム、そのプログラムを格納するハードディスクなどの記憶ユニット（ＲＯＭ４）、ネットワーク接続用インタフェース（通信制御部８、アンテナ１０）を中心にハードウェアとソフトウェアの任意の組合せを用いて実現される。そして、その実現方法、装置にはいろいろな変形例があることは、当業者には理解されるところである。以下説明する各図は、ハードウェア単位の構成ではなく、機能単位のブロックを示している。
【００３９】
なお、以下の各図において、本発明の本質に関わらない部分の構成については省略してあり、たとえば、端末１００または端末２００の構成であるスピーカやマイクなどの音声の入出力機能部、およびバイブレーション機能部などは図示されていない。なお、端末１００または端末２００の操作部１２は、マイクを用いて入力された音声による指示を受け付けるものであってもよい。
【００４０】
本実施の形態の表示システム１の各端末では、本発明のコンピュータプログラムに記述された処理手順をＣＰＵ２が実行することで、各種ユニットが各種機能として実現される。
【００４１】
本実施形態のコンピュータプログラムは、端末１００を実現させるためのコンピュータに、接近検出部１０６が、第１画像を表示している表示装置（端末１００の画像表示部１０２）に対する他の表示装置（端末２００）の接近または接触を検出する手順、端末１００の画像表示部１０２に表示している第１画像に連結する、接近または接触を検出した端末２００の画像表示部２０２の位置に相当する第２画像を、端末２００の画像表示部２０２に表示指示する手順、を実行させるように記述されている。
【００４２】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００４３】
このように構成された本実施形態の表示システム１の動作について、以下に説明する。
図４は、本発明の表示方法の手順の概要を示している。以下、図１乃至図４を用いて説明する。図４は、左側にメイン端末（端末Ａ）側のフローチャート、右側にサブ端末（端末Ｂ）のフローチャートを示す。
【００４４】
本実施形態の表示方法は、複数の表示装置（図１の端末Ａおよび端末Ｂ）に画像を表示する表示方法であって、第１画像を表示する表示装置（端末Ａの画像表示部１０２）が、自装置（端末Ａ）に対する他の表示装置（端末Ｂ）の接近または接触を検出し（図４のステップＳ１０３のＹＥＳ）、自装置（端末Ａの画像表示部１０２）に表示している第１画像に連結する、接近または接触を検出した他の表示装置（端末Ｂの画像表示部２０２）の位置に相当する第２画像を、他の表示装置（端末Ｂの画像表示部２０２）に表示指示する（図４のステップＳ１０５）。
【００４５】
具体的には、まず、端末Ａでは、本発明の連携画面表示処理が可能なアプリケーションプログラムが起動されている状態であるとする。このとき、端末Ａの画像表示部１０２が第１画像を表示しているものとする（図４のステップＳ１０１）。このときの各端末の様子は図３（ａ）に示される。端末Ａの画像表示部１０２には、第１画像１２０が表示されている。ここでは、たとえば、地図が表示されている。
【００４６】
そして、第１画像１２０（図３）を表示している状態において、端末Ａの接近検出部１０６（図１）が、自装置（端末Ａ）に対する他の表示装置の接近または接触を監視する（図４のステップＳ１０３）。このとき、端末Ｂは、動作モードが連携モードに設定され、画像表示部２０２には、端末Ａの表示画像とは関連のない画像２２０（図３（ａ））、たとえば、待ち受け画像などが表示されているものとする（図４のステップＳ２０１）。
【００４７】
そして、端末Ａの接近検出部１０６（図１）が、自装置（端末Ａ）に対する他の表示装置、ここでは、端末Ｂの接近または接触を検出したとき（図４のステップＳ１０３のＹＥＳ）、図４のステップＳ１０５に進む。図３（ｂ）は、端末Ａに端末Ｂを接触させたときの様子を示している。
【００４８】
そして、端末Ａの表示指示部１１０（図１）が、自装置（端末Ａの画像表示部１０２）に表示している第１画像に連結する、接近または接触を検出した他の表示装置（端末Ｂの画像表示部２０２）の位置に相当する第２画像を、他の表示装置（端末Ｂの画像表示部２０２）に表示指示する（図４のステップＳ１０５）。
【００４９】
そして、端末Ｂの画像表示部２０２（図１）が、端末Ａからの第２画像の表示指示を受け付けると（図４のステップＳ２０３のＹＥＳ）、端末Ａからの指示に従い、第２画像を表示する（図４のステップＳ２０５）。図３（ｃ）は、端末Ｂに、端末Ａの画像表示部１０２に表示されている第１画像１２０に連結する、端末Ｂの位置に相当する第２画像２２２を表示している様子を示す。ここでは、端末Ａに表示されている地図から続く地図が端末Ｂに表示されている。このようにして、２つの端末を用いて、ユーザは拡大された画像で広い範囲の地図を見ることができることとなる。
以降、端末Ａと端末Ｂは連携して動作する。
【００５０】
なお、図３の例では、端末Ａと端末Ｂは、図８（ａ）のように、端末Ａの縦向きの画面１３０と端末Ｂの縦向きの画面２３０を横方向左右に並べた配置の例を用いて説明したが、本発明の表示方法において、この配置に限定されるものではない。端末Ａと端末Ｂの左右の位置関係は入れ替わってもよい。また、たとえば、図８（ｂ）のように、端末Ａの横向きの画面１３２と端末Ｂの横向きの画面２３２を縦方向上下に並べてもよい。ここでも、端末Ａと端末Ｂの上下の位置関係は入れ替わってもよい。
【００５１】
また、図８（ｃ）のように、端末Ａの縦向きの画面１３０と端末Ｂの縦向きの画面２３４を縦方向上下に並べてもよい。ここでも、端末Ａと端末Ｂの上下の位置関係は入れ替わってもよい。さらに、図８（ｄ）のように、端末Ａの横向きの画面１３２と端末Ｂの横向きの画面２３６を横方向左右に並べてもよい。ここでも、端末Ａと端末Ｂの左右の位置関係は入れ替わってもよい。
また、たとえば、端末Ａは横向きで端末Ｂは縦向きなどのように、端末Ａと端末Ｂの画面の向きは異なってもよい。
【００５２】
以上、説明したように、本発明によれば、ユーザにあっては複数台の端末を並列配置する際に、予め決められた位置関係となるように各端末を配置したり、それらの位置関係をユーザ操作を行うことで入力したりするなどの煩雑な準備が不要となる。また、特別な接続手段を設けたりせずに、各端末の配置状態を容易に特定することができるので、利便性に富んだ表示システムが実現可能なものとなる。
【００５３】
（第２の実施の形態）
図５は、本発明の実施の形態に係る表示システム５１の構成を示す機能ブロック図である。
本実施形態の表示システム５１では、第１表示装置と第２表示装置の相対位置に基づく第２画像の決定方法、表示装置間の画像情報の伝達方法などの具体例について説明する。
【００５４】
図５に示すように、表示システム５１において、端末１５０（端末Ａ）は、図１の表示システム１の端末１００と同様な画像表示部１０２と、接近検出部１０６と、表示指示部１１０と、を備えるとともに、さらに、表示制御部１０４と、位置検出部１０８と、通信インタフェース部（図中、「Ｉ／Ｆ」と示す）１１２と、を有する。また、端末２５０（端末Ｂ）は、図１の表示システム１の端末２００と同様な画像表示部２０２を備えるとともに、さらに、表示制御部２０４と、接近検出部２０６と、位置検出部２０８と、指示受付部２１０と、通信インタフェース部（図中、「Ｉ／Ｆ」と示す）２１２と、を有する。
【００５５】
なお、本実施形態の端末１５０および端末２５０は、上記実施形態の図２に示した端末１００および端末２００と同様な構成を有するものとする。
【００５６】
端末１５０の通信インタフェース部１１２および端末２５０の通信インタフェース部２１２は、上述した図２の端末間通信制御部２２および第２アンテナ２４に相当する。本実施形態では、通信インタフェース部１１２および通信インタフェース部２１２は、たとえば、赤外線通信機能を用いて他の端末と接続し、通信を行う。
【００５７】
端末１５０の画像表示部１０２および端末２５０の画像表示部２０２は、上述した図２の表示部１６に相当する。本実施形態では、画像表示部１０２および画像表示部２０２は、それぞれ端末１５０および端末２５０の筐体の少なくとも一面に延在する。各表示部１６は、各端末の筐体の少なくとも一面のほぼ全域に延在するのが好ましいが、これに限定されない。また、本実施形態では、表示部１６の画面は矩形であるが、特にこれに限定されるものではない。様々な形状の画面が考えられる。
【００５８】
端末１５０の表示制御部１０４および端末２５０の表示制御部２０４は、上述した図２の表示制御部１８に相当する。表示制御部１０４および表示制御部２０４は、それぞれ画像表示部１０２および画像表示部２０２の画面に画像を表示する制御を行う。
【００５９】
本実施形態の端末１５０では、ＣＰＵ２（図２）が、本発明の連携画面表示処理が可能なアプリケーションプログラムを実行し、画像表示部１０２に第１画像が表示される。アプリケーションプログラムの起動方法は、特に限定されず、たとえば、ユーザがメニュー画面で操作指示してもよいし、所定時刻に自動的に起動されるように指定されてもよい。
【００６０】
また、アプリケーションプログラムは、特に限定されない。様々なアプリケーションプログラムに、本発明の表示システム５１の連携画面表示処理の機能を実現する後述するコンピュータプログラムをたとえば、機能モジュールとして追加することで実現することができる。
【００６１】
本実施の形態の表示システム５１の各端末では、本発明のコンピュータプログラムに記述された処理手順をＣＰＵ２が実行することで、各種ユニットが各種機能として実現される。
本実施形態の端末１５０を実現させるためのコンピュータプログラムは、上記実施形態の端末１００のコンピュータプログラムと同様であるので、説明は省略する。
【００６２】
さらに、本実施形態のコンピュータプログラムは、端末２５０を実現させるためのコンピュータに、他の表示装置（端末１５０）から、当該端末１５０の画像表示部１０２に表示されている第１画像に連結する、自装置（端末２５０の画像表示部２０２）の位置に相当する第２画像を自端末２５０の表示装置（画像表示部２０２）に表示する指示を受け付ける手順、受け付けた指示に従い、第２画像を自端末２５０の画像表示部２０２に表示する手順、を実行させるように記述されている。
【００６３】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００６４】
端末１５０の接近検出部１０６および端末２５０の接近検出部２０６は、それぞれ図２の加速度センサ２０からの出力信号を用いて、他の端末（端末１５０は端末２５０、および端末１５０は端末１５０）の接近または接触を検出する。また、接近検出部１０６および接近検出部２０６は、加速度センサ２０の他に、近接センサ、Ｂｌｕｅｔｏｏｔｈ（登録商標）や赤外線通信を用いて、他の端末の接近または接触を検出することもできる。本実施形態では、端末を互いに軽くぶつけるようなイメージで接触させて、端末間の連携画面表示処理を開始する。
【００６５】
ここで、端末１５０および端末２５０は、端末間の連携画面表示処理を行う連携モードに設定する機能を有する。この連携モードは、特定のアプリケーションプログラム専用のものではなく、連携モードが可能なアプリケーションプログラム共通のものであるとする。図２の操作受付部１４が、所定のキー操作や、表示部１６に表示させた設定画面の操作を受け付けることで、操作に従いモード設定を行ってもよい。
【００６６】
接近検出部１０６および接近検出部２０６における他の端末の接触または接近の検出方法の具体例について説明する。ここでは、図２の加速度センサ２０からの出力信号を用いて、他の端末の接触を検出する方法について説明する。接近検出部１０６および接近検出部２０６は、割り込みもしくはポーリングのタイミングで加速度の計測処理を定期的に行い、加速度を検出する。そして、接近検出部１０６または接近検出部２０６は、検出した加速度が所定の閾値以上かどうかを判定することで、他の端末との接触があったことを検出する。
【００６７】
そして、接近検出部１０６および接近検出部２０６は、検出した加速度が閾値以上であると判定された場合、他の端末との接触があるような大きな加速度があったとして、加速度の方向および発生時刻をＲＡＭ６（図２）に記録する。なお、各端末は、図示されない時計をさらに備えているものとする。発生時刻は、時計から取得することができる。
【００６８】
そして、他の端末との接触を検出した接近検出部１０６および接近検出部２０６の少なくとも一方が、通信インタフェース部１１２または通信インタフェース部２１２を介して通信ネゴシエーションを行い、他の端末の探索を行う。接近検出部１０６または接近検出部２０６は、他の端末を発見した場合、それぞれＲＡＭ６に記録してあった加速度の発生時刻を他の端末に送信または他の端末から受信する。
【００６９】
そして、接近検出部１０６または接近検出部２０６は、自装置に記録されていた加速度の発生時刻と他の端末から受信した加速度の発生時刻を比較し、一致するか否かを判定する。そして、接近検出部１０６または接近検出部２０６は、加速度の発生時刻が一致した場合に、他の端末が接触していると判定し、位置検出部１０８または位置検出部２０８に通知する。
【００７０】
端末１５０の位置検出部１０８および端末２５０の位置検出部２０８は、それぞれ加速度センサ２０からの出力信号を用いて、他の端末と接近または接触したときの接近または接触方向を加速度方向から検出することで、他の端末と自端末との相対位置を検出する。
【００７１】
位置検出部１０８および位置検出部２０８は、加速度センサ２０の他に、複数の近接センサを用いて接近方向を検出したり、接近または接触した他の端末から、ＧＰＳや加速度センサを用いて取得した位置情報を受信したりすることなどで実現できる。ここで、２つの端末（端末１５０と端末２５０）の表示部１６（図２）の画面表示面はひとつながりの画像の一部を形成するように互いに同一平面上に配置されているものとする。よって、相対位置は、平面方向の位置、たとえば、二次元座標（Ｘ、Ｙ）で表現してもよい。
【００７２】
なお、端末１５０と端末２５０の表示部１６（図２）の画面表示面が同一平面上に配置されていない場合でも、前後のずれ（三次元方向の情報）は無視して、二次元方向のみの情報に基づいて、相対位置を求めてもよい。
【００７３】
端末１５０の表示指示部１１０は、端末１５０の画像表示部１０２に表示している第１画像に連結する、接近または接触を検出した端末２５０の画像表示部２０２の位置に相当する第２画像を、端末２５０に表示指示する。表示指示は、第２画像そのものを生成して、画像データを端末２５０に送信してもよいし、あるいは、端末２５０が第２画像を表示するのに必要な画像情報を端末２５０に送信してもよい。表示指示部１１０は、たとえば、図２の端末間通信制御部２２を用いて、端末２５０に画像データまたは画像情報を送信する。
【００７４】
たとえば、表示指示部１１０は、位置検出部１０８が検出した他の端末２５０の接触方向に基づいて、現在、画像表示部１０２に表示されている第１画像の前記接触方向の「隣接画像（第２画像）」を生成する。そして、生成した隣接画像を、通信インタフェース部１１２を介して端末２５０に送信する。
【００７５】
端末２５０の指示受付部２１０は、自装置（端末２５０）に接近または接触している他の端末装置（端末１５０）から、当該他の端末装置（端末１５０）の画像表示部１０２に表示されている第１画像に連結する、自装置（端末２５０）の位置に相当する第２画像を自装置（端末２５０）の表示部（画像表示部２０２）に表示する指示を受け付ける。
端末２５０の表示制御部２０４は、受け付けた指示に従い、第２画像を自装置（端末２５０）の表示部（画像表示部２０２）に表示する。
【００７６】
なお、本実施形態では、端末１５０をメイン端末、端末２５０をサブ端末として、端末１５０が端末２５０に対して画像の表示指示を行う主導権を持っている構成としたが、これに限定されない。端末１５０は、さらに端末２５０の指示受付部２１０と同じ指示受付部を有し、端末２５０は、さらに端末１５０の表示指示部１１０と同じ表示指示部を有してもよい。そして、端末１５０と端末２５０のいずれも、状況に応じて、連携画面表示処理の主導権をいずれかが持って制御を行うことができてよい。
【００７７】
このように構成された本実施形態の表示システム５１の動作について、以下に説明する。
図６および図７は、本実施形態の表示システム５１の具体的な動作の例を示している。以下、図５乃至図７を用いて説明する。
図６および図７は、それぞれ左側にメイン端末（端末Ａ）側のフローチャート、右側にサブ端末（端末Ｂ）のフローチャートを示す。
【００７８】
ここで、メイン端末Ａは、最初に単独で本表示システム５１の連携画面表示処理が可能なアプリケーションプログラムを動作させている端末で、サブ端末Ｂは、後からメイン端末Ａと連携させる端末である。
【００７９】
まず、メイン端末Ａは、サブ端末Ｂと画面を連携可能なアプリケーションプログラムを実行している（図６のステップＳ１１１）。このとき、メイン端末Ａの画像表示部１０２には、アプリケーションプログラムをＣＰＵ２が実行した結果、第１画像が表示されいる。
【００８０】
ここで、サブ端末Ｂを端末Ａに連携させる場合、ユーザが、サブ端末Ｂを連携モードにする操作指示を行う。端末Ｂでは、操作受付部１４（図２）がユーザの指示を受け付けて、ＣＰＵ２（図２）が動作モードを連携モードに設定する（図６のステップＳ２１１）。
【００８１】
また、ここで、連携モードは、特定のアプリケーション専用のものではなく、連携モードが可能なアプリケーション共通のものであるとする。この動作モードの設定操作は、たとえば、端末Ｂで、動作モードの設定を受け付けるための操作画面を表示部１６（図２）に表示させて、操作受付部１４がユーザの操作指示を受け付けることなどで実現することができる。
【００８２】
そして、ユーザが、サブ端末Ｂをメイン端末Ａに接触させる（図６のステップＳ２１３）。たとえば、ユーザは、端末Ａと端末Ｂを軽くぶつけるような動作を行ってもよい。図６のステップＳ２１３の処理は、ユーザの動作であり、端末Ｂの処理ではないので、破線で示してある。
そのとき、メイン端末Ａの接近検出部１０６（図５）が、割り込みもしくはポーリングのタイミングで加速度の計測処理を行い、加速度を検出する（図６のステップＳ１１３）。
【００８３】
そして、メイン端末Ａの接近検出部１０６が、検出した加速度が所定の閾値以上かどうかを判定する（図６のステップＳ１１５）。ここで、加速度が閾値未満であれば（図６のステップＳ１１５の＜）、サブ端末Ｂの接触があるような大きな加速度はないとして、図６のステップＳ１１１に戻る。
【００８４】
一方、加速度が閾値以上であれば（図６のステップＳ１１５の≧）、サブ端末Ｂの接触があるような大きな加速度があったとして、端末Ａの接近検出部１０６が、加速度の方向および発生時刻をＲＡＭ６（図２）に記録する（図６のステップＳ１１７）。
一方、サブ端末Ｂ側でも接触を起因とした加速度が発生するので、接近検出部２０６（図５）が、加速度検出を行い、加速度を検出する（図６のステップＳ２１５）。
【００８５】
サブ端末Ｂにおいても、接近検出部２０６が、検出した加速度が所定の閾値以上かどうかを判定する（図６のステップＳ２１７）。ここで加速度が閾値未満であれば（図６のステップＳ２１７の＜）、メイン端末Ａと接触したような大きな加速度はないとして、図６のステップＳ２１５に戻る。
【００８６】
一方、加速度が閾値以上であれば（図６のステップＳ２１７の≧）、メイン端末Ａと接触したような大きな加速度があったとして、端末Ｂの接近検出部２０６が、加速度の方向および発生時刻をＲＡＭ６（図２）に記録する（図６のステップＳ２１９）。
【００８７】
そして、図６のステップＳ１１７およびステップＳ２１９の後、メイン端末Ａおよびサブ端末Ｂは、それぞれ通信ネゴシエーションを行い、お互いに他端末の探索および接続を行う（図６のステップＳ１１９およびステップＳ２２１）。これらの通信処理は、通信インタフェース部１１２および通信インタフェース部２１２が行う。
【００８８】
このとき、サブ端末Ｂが、メイン端末Ａを発見できなければ（図６のステップＳ２２３のＮＯ）、図６のステップＳ２１５に戻る。一方、サブ端末Ｂがメイン端末Ａを発見したら（図６のステップＳ２２３のＹＥＳ）、端末Ｂの通信インタフェース部２１２が、メイン端末Ａへ加速度発生時刻３０２を送信する（図６のステップＳ２２５）。
【００８９】
一方、メイン端末Ａが、サブ端末Ｂを発見できなければ（図６のステップＳ１２１のＮＯ）、図６のステップＳ１１１に戻る。
【００９０】
一方、メイン端末Ａがサブ端末Ｂを発見したら（図６のステップＳ１２１のＹＥＳ）、端末Ａの通信インタフェース部１１２が、サブ端末Ｂ側の加速度発生時刻の受信処理を行い、サブ端末Ｂ側からの加速度発生時刻３０２を受信する（図６のステップＳ１２３）。
【００９１】
なお、図６のステップＳ１２１およびステップＳ２２３において、いずれか一方が他の端末を発見できず、他方が他の端末を発見した場合にも処理が滞ることなく進むように、たとえば、所定のリトライ処理やタイムアウト処理など適宜行うものとする。
【００９２】
メイン端末Ａの接近検出部１０６が、メイン端末ＡのＲＡＭ６に記録された加速度発生時刻と、サブ端末Ｂから受信した加速度発生時刻３０２が一致するかを比較する（図６のステップＳ１２５）。加速度発生時刻が不一致であれば（図６のステップＳ１２５のＮＯ）、端末Ａの通信インタフェース部１１２が、サブ端末Ｂへ加速度発生時刻が「不一致」であることを示す発生時刻比較情報３０４を送信する（図６のステップＳ１２７）。そして、端末Ｂとの通信を終了し（図６のステップＳ１２９）、図６のステップＳ１１１に戻る。
【００９３】
一方、加速度発生時刻が一致であれば（図６のステップＳ１２５のＹＥＳ）、端末Ａの通信インタフェース部１１２がサブ端末Ｂへ加速度発生時刻が「一致」したことを示す発生時刻比較情報３０４を送信する（図６のステップＳ１３１）。
【００９４】
サブ端末Ｂの通信インタフェース部２１２が、発生時刻比較情報３０４を受信する（図６のステップＳ２２７）。
端末Ａから受信した発生時刻比較情報３０４が、「不一致」であれば（図６のステップＳ２２９のＮＯ）、端末Ｂの通信インタフェース部２１２が、通信を終了し（図６のステップＳ２３１）、図６のステップＳ２１５に戻る。
【００９５】
一方、端末Ａから受信した発生時刻比較情報３０４が、「一致」であれば（図６のステップＳ２２９のＹＥＳ）、図７のステップＳ２３３に進む。
【００９６】
ここまでで、両端末が接触したことを認識し、通信が確立している。
ここからは、サブ端末Ｂの画面に表示する画像の生成を行う。
メイン端末Ａの位置検出部１０８が、加速度方向から、サブ端末Ｂが接触した方向を特定する（図７のステップＳ１３３）。
【００９７】
そして、メイン端末Ａの表示画像（第１画像）の接触方向の「隣接画像」を生成する（図７のステップＳ１３５）。実際には、端末Ａの表示指示部１１０が、メイン端末Ａに表示されている第１画像の、サブ端末Ｂが接触した方向の隣接画像を生成する。そして、端末Ａの表示指示部１１０が、通信インタフェース部１１２を介して、端末Ｂに隣接画像３０６を送信する（図７のステップＳ１３７）。
【００９８】
上述した図６のステップＳ２２９で発生時刻比較情報３０４が「一致」した場合、サブ端末Ｂの指示受付部２１０が、通信インタフェース部２１２を介してメイン端末Ａから送信された隣接画像３０６を受信する（図７のステップＳ２３３）。そして、サブ端末Ｂの表示制御部２０４が、画像表示部２０２の画面に隣接画像３０６を表示する（図７のステップＳ２３５）。
以降、メイン端末Ａとサブ端末Ｂは連携して動作する。
【００９９】
以上説明したように、本実施形態の表示システム５１によれば、上記実施形態と同様な効果を奏するとともに、状況に応じて複数の端末を、ユーザの意図に基づき自由に操作して柔軟に連携画面表示処理を行うことができ、使い勝手が向上する。
【０１００】
以上、図面を参照して本発明の実施形態について述べたが、これらは本発明の例示であり、上記以外の様々な構成を採用することもできる。
たとえば、上記実施形態の表示システム５１では、サブ端末Ｂは、メイン端末Ａとの接近または接触を検出した後、第２画像を表示する構成としているが、これに限定されるものではない。
【０１０１】
上記実施形態では、端末Ｂでは、第２画像を表示させるために、端末Ａに第１画像を表示させているアプリケーションプログラムを起動して第２画像を表示させているとする。そして、他の端末との接近または接触を検出した後、サブ端末Ｂが、連携画面表示処理が可能なアプリケーションプログラムを起動して第２画像を表示させている。
【０１０２】
しかし、他の実施形態では、サブ端末Ｂが、予め連携画面表示処理が可能なアプリケーションプログラムを起動して、たとえば、第１画像を表示させていてもよい。そして、端末Ａからの表示指示に従い、第２画像に表示を切り替え、または移行（移動）させる構成としてもよい。
【０１０３】
あるいは、他の実施形態では、端末同士が接触する前に接近したことを検出した後、端末にそれぞれ所定の画像を表示しておき、端末同士が接触したことをトリガとして、メイン端末に第１画像、およびサブ端末に第２画像をそれぞれ表示させる構成としてもよい。このように、接近と接触の検出を組み合わせて画像表示のタイミングを変更することもできる。
【０１０４】
また、上記実施形態では、図９（ａ）に示すように、メイン端末Ａとサブ端末Ｂは、互いにメイン端末Ａの画像表示部１０２（図５）の画面１４０とサブ端末Ｂの画像表示部２０２（図５）の画面２４０は、装置の向きと表示方向とを合わせているが、これに限定されない。ここで、端末Ａの画面１４０は画面上端１４２と画面下端１４４を有し、端末Ｂの画面２４０は画面上端２４２と画面下端２４４を有する。
【０１０５】
図９（ｂ）に、メイン端末Ａの画像表示部１０２の画面１４０の画面上端１４２と、サブ端末Ｂの画像表示部２０２の画面２４０の画面上端２４２と、を互いに向き合わせて接近または接触させた場合の例を示す。このように、メイン端末Ａの表示指示部１１０が、サブ端末Ｂの装置の向きと表示方向が反対になるように、第２画像の向きを第１画像と逆転させて表示させる指示を行うこともできる。
【０１０６】
このような画像の向きの変更は、たとえば、ゲーム機などの端末を、複数人で使用するような場合に利用できる。１人で２つの端末を使用する場合や、複数人が横に並んで端末を使用するような場合は、図９（ａ）のように、各端末の画面の向きと表示方向を合わせる。
【０１０７】
一方、たとえば、２人が向かいあって、端末を向かい合わせに付け合わせて使用するような場合は、図９（ｂ）のように、サブ端末Ｂに表示させる第２画像をメイン端末Ａに表示させる第１画像の向きと逆転させた第２画像を表示する。
この場合、端末Ａから端末Ｂに予め逆転させた第２画像を送信してもよいし、あるいは、第１画像と同じ向きの第２画像を送信するとともに、逆転する指示を端末Ａから端末Ｂに送信してもよい。または、端末Ｂが端末Ａの画面との相対的な向きの関係を検出して、端末Ａから受信した画像を自動的に回転させてもよい。
【０１０８】
すなわち、他の実施形態の表示システムは、第１表示装置（図１または図５の端末Ａの画像表示部１０２）および第２表示装置（図１または図５の端末Ｂの画像表示部２０２）の相対的な向きを検出する向き検出部（不図示）をさらに備えることができる。表示指示部１１０（図１または図５）は、端末Ａと端末Ｂの表示画面の相対的な向きに基づいて、端末Ａの画像表示部１０２に表示している第１画像に連結する、接近または接触を検出した端末Ｂの画像表示部２０２の位置に相当する第２画像の表示方向を決定して、端末Ｂの画像表示部２０２に表示指示することができる。
【０１０９】
端末Ａと端末Ｂの装置の向きの検出方法は、様々な方法が考えられる。たとえば、自装置の位置と装置の向き（たとえば、各端末の表示画面の同じ方向軸のなす角度）を加速度センサ２０（図２）またはＧＰＳなどを用いて検出して、それらの情報を交換して相手の装置と自装置の相対的な向きを判別することもできる。相対的な向きに基づいて、第１画像と第２画像の表示方向を決定することができる。これらの処理は、メイン端末Ａの表示指示部１１０（図１または図５）が行ってもよいし、サブ端末Ｂの画像表示部２０２（図１または図５）が行ってもよいし、双方で調整してもよい。
【０１１０】
また、上記実施形態では、メイン端末Ａからサブ端末Ｂに、表示指示部１１０（図１または図５）が第２画像を送信する構成としたが、これ限定されない。
たとえば、表示指示部１１０が、メイン端末Ａからサブ端末Ｂに対し、第２画像自体を送るのではなく、サブ端末Ｂの画像表示部２０２に第２画像を表示させるための画像情報を通知してもよい。そして、サブ端末Ｂの画像表示部２０２が、通知された情報に基づいて、第２画像を表示してもよい。
【０１１１】
すなわち、端末Ａは、第２画像を端末Ｂに表示させるための画像情報を生成または取得する情報生成部（不図示）をさらに備える。そして、表示指示部１１０（図１または図５）が、情報生成部が生成または取得した画像情報を端末Ｂに通知することで、端末Ｂの画像表示部２０２に第２画像の表示指示を行うことができる。ここで、画像情報とは、たとえば、ＵＲＬ（Uniform Resource Locator）、その表示領域や位置の指示情報などでもよい。
【０１１２】
たとえば、地図表示の場合、メイン端末Ａが地図の画像をサブ端末Ｂに送ってもよいが、表示する地図情報提供サイトのＵＲＬと、緯度経度情報や表示倍率などをサブの装置に送り、それらの情報に基づいて、サブ端末がサイトにアクセスし、地図の画像を取得して表示してもよい。
【０１１３】
さらに、本発明の表示システムにおいて、各端末に表示される画像は、固定の場合に限らない。他の実施形態において、たとえば、図３（ｃ）のように地図を表示しながら、２つの端末を一緒に移動すると、それに合わせて両方の端末の表示が変更するように第１画像および第２画像を生成し、表示させてもよい。上述したように、端末同士が接触または接近したことを検出したことをトリガとして連携画面表示処理を開始し、その後、終了指示を受け付けるまで、開始位置を元に、両端末を移動させながら、連携画面表示処理を行ってもよい。
【０１１４】
上記の端末の相対的な向きの検出と同様な方法で、初期の２つの端末の位置を検出した後、移動位置を検出しながら、移動位置に基づいて表示画像位置を変更するように表示制御することができる。
【０１１５】
また、一方の端末において、スクロールなどの操作を行った場合に、両方の端末の表示を合わせて動作させることもできる。
【０１１６】
また、一度、連携画面表示処理を開始した後、端末の位置関係の変更に伴って、表示を変更することできる。たとえば、端末Ａは、端末Ｂの移動を検出して、移動位置に応じて、端末Ｂに表示指示する第２画像を変更する。
【０１１７】
この構成によれば、地図表示を行うアプリケーションプログラムなどで、メイン端末の右側にサブ端末を配置して、右側の地図を確認した後、さらに、サブ端末を移動してメイン端末の左側に配置して、左側の地図を確認することができる。
【０１１８】
さらに、図１０（ａ）に示すように、端末Ａと端末Ｂが、連携画面表示処理を開始した後、図１０（ｂ）に示すように、端末Ｂを下方向に移動させることで、より下の方の地図を確認することができる。または、図１０（ａ）に示すように、端末Ａと端末Ｂが、連携画面表示処理を開始した後、たとえば、端末Ｂを端末Ａから離して右側に移動させることで、より右側の画像を端末Ｂに表示させることもできる。この場合、端末Ａと端末Ｂ間の通信が維持できる範囲で端末Ｂと端末Ａを離すことができる。
【０１１９】
上記実施形態では、図１０（ａ）に示すように、同じ形状の表示部を備えた端末を例に説明したが、これに限定されない。たとえば、異なる形状の表示部を備えた端末間で、連携画面表示処理を行うこともできる。
ここで、表示する画像の合わせ方は、画面の上下左右いずれか一端を合わせる、また、図１０（ｃ）に示すように、中央をあわせるなど、画像表示を行うアプリケーションプログラムに適した方法を用いればよい。
【０１２０】
接近または接触させた端末間で画像表示部１０２（図１、図５）および画像表示部２０２（図１、図５）の情報を交換し合い、互いの装置と画面の配置を判定してもよい。または、ユーザに各端末の合わせ方を指示するメッセージや、位置合わせマークなどを画面に表示してユーザに通知してもよい。
【０１２１】
また、一端、端末Ａと端末Ｂが接近または接触を検出した後、端末Ａと端末Ｂの距離が離れてしまい、互いの通信が維持できない状況になった場合に、ユーザに報知する報知部（不図示）を備えてもよい。報知部は、ユーザに端末間が離れ過ぎてしまって連携できなくなることを通知したり、端末同士を近づけるよう指示したりするメッセージなどを音声、表示、またはバイブレーションで出力する。
【０１２２】
また、図１１に示すように、本発明の表示システムは、２台の端末の画像連携に限定されない。３台以上の端末でもよい。
たとえば、端末Ａ（メイン）と端末Ｂ（サブ）で表示しているときに（図１１（ａ））、端末Ｃを追加する場合、図１１（ｂ）に示すように、端末Ｃ−端末Ａ−端末Ｂのような配置であれば、端末Ａがメインで端末Ｃがサブとなる。
【０１２３】
また、図１１（ｃ）に示すように、端末Ａ−端末Ｂ−端末Ｃのような配置の場合は、端末Ｂがメインで端末Ｃがサブとなる。
このように、３台以上を使用する場合は、メイン端末とサブ端末の関係が様々に考えられる。本発明の表示システムは、上述したように、メインにもサブになれる端末とすることもできる。
【０１２４】
図１１（ｄ）には、４つの端末Ａ〜端末Ｄを用いた場合の例を示す。このように、本発明の表示システムは、複数の端末を組み合わせることもできる。
【０１２５】
また、他の態様として、たとえば、第１の端末に第２の端末をＺ軸方向に重ね、距離を離すにつれ、第１の端末の第１画像を虫メガネのように拡大して第２画像に表示させるように表示させることができる。この場合、相対位置は、三次元座標で表現できる。このとき、相対位置は、各端末のＧＰＳのデータなどに基づいて検出することができる。
【０１２６】
また、他の実施形態において、各端末は、たとえば、ワンセグ機能部（不図示）を有してもよい。そして、ワンセグ機能部を用いて受信したテレビ映像を、複数の端末装置に連携画面表示処理させてもよい。この場合、複数の端末を用いて形成される画面の大きさに応じて、画面を拡大させて映像を表示させることができる。
【０１２７】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【０１２８】
なお、本発明において利用者に関する情報（本発明では端末の位置情報など）を取得、利用する場合は、これを適法に行うものとする。
【０１２９】
（付記１）  第１画像を表示している第１表示装置に対する第２表示装置の接近または接触を検出する接近検出手段と、
前記第１表示装置に表示している前記第１画像に連結する、前記接近または接触を検出した前記第２表示装置の位置に相当する第２画像を、前記第２表示装置に表示指示する表示指示手段と、を備える表示システム。
（付記２）  （付記１）に記載の表示システムにおいて、
さらに、前記接近検出手段が、前記第２表示装置の前記接近または接触を検出したとき、前記第２表示装置の探索を開始し、探索の結果、前記第２表示装置が見つかったとき、前記第２表示装置と通信確立処理を行う通信手段を備える表示システム。
（付記３）  （付記１）または（付記２）に記載の表示システムにおいて、
前記接近検出手段は、前記第２表示装置に対する前記第１表示装置の接近または接触を検出し、
前記表示システムは、さらに、前記第１表示装置および前記第２表示装置の前記接近または接触を検出したときの時刻をそれぞれ取得する手段と、
取得した前記第１表示装置の時刻と前記第２表示装置の時刻が一致したとき、前記第１表示装置と前記第２表示装置が接近または接触したと判定する判定手段と、を備える表示システム。
（付記４）  表示部と、
前記表示部に第１画像を表示する表示制御手段と、
自装置に対する他の端末装置の接近または接触を検出する接近検出手段と、
前記表示部に表示している前記第１画像に連結する、前記接近または接触を検出した前記他の端末装置の位置に相当する第２画像を、前記他の端末装置の表示部に表示指示する表示指示手段と、を備える端末装置。
（付記５）  （付記４）に記載の端末装置において、
前記接近検出手段は、
自装置の上下左右のいずれかの方向の加速度を検知する加速度検知部を含み、
前記加速度検知部が検知した前記他の端末装置と接触したときの加速度の大きさが所定の値以上になったとき、前記他の端末装置が接触したことを検出する端末装置。
（付記６）  （付記５）に記載の端末装置において、
前記接近検出手段が、前記他の端末装置の接近または接触を検出したとき、前記加速度検知部が検知した前記加速度に基づいて、前記他の端末装置の接触方向を特定する特定手段をさらに備え、
前記表示指示手段は、前記特定手段が特定した前記接触方向に前記第１画像に隣接する第２画像を前記他の端末装置に表示指示する端末装置。
（付記７）  （付記４）乃至（付記６）いずれかに記載の端末装置において、
前記接近検出手段が前記他の端末装置が接触したことを検出したとき、前記端末装置と前記他の端末装置の間の通信を開始して、確立する通信手段と、
前記他の端末装置から、自端末装置と接触したことを検出した時刻を前記通信手段を用いて受信する受信手段と、
受信した時刻と、前記接近検出手段が前記他の端末装置が接触したことを検出した時刻が一致するか否かを判定する時刻判定手段と、
前記時刻が一致する場合、前記表示指示手段が前記他の端末装置に前記表示指示を行う端末装置。
【符号の説明】
【０１３０】
１  表示システム
８  ネットワーク通信制御部
１０  第１アンテナ
１２  操作部
１４  操作受付部
１６  表示部
１８  表示制御部
２０  加速度センサ
２２  端末間通信制御部
２４  第２アンテナ
３０  バス
１００  端末
１０２  画像表示部
１０６  接近検出部
１１０  表示指示部
２００  端末
２０２  画像表示部
５１  表示システム
１５０  端末
１０４  表示制御部
１０８  位置検出部
１１２  通信インタフェース部
１２０  画像
２５０  端末
２０４  表示制御部
２０６  接近検出部
２０８  位置検出部
２１０  指示受付部
２１２  通信インタフェース部
２２２  画像
３０２  加速度発生時刻
３０４  発生時刻比較情報
３０６  隣接画像
【図１】
2012173542.tif 000003
【図２】
2012173542.tif 000004
【図３】
2012173542.tif 000005
【図４】
2012173542.tif 000006
【図５】
2012173542.tif 000007
【図６】
2012173542.tif 000008
【図７】
2012173542.tif 000009
【図８】
2012173542.tif 000010
【図９】
2012173542.tif 000011
【図１０】
2012173542.tif 000012
【図１１】
2012173542.tif 000013